(57)【要約】【課題】本発明の目的は、特にバイオセンサを使用する者が、蓋付き容器の蓋を、小さな力で容易に開閉できる蓋開閉補助具を提供することにある。【解決手段】蓋開閉補助具１０を、蓋１２に位置決めされて載設される載設部材２２と、位置決めされた載設部材２２から垂下する第一の垂下部２４と、第一の垂下部２４から容器本体１６の中心軸Ｃに向かって延び、鍔部１４の下に係合される第一の係合部２６と、を備えて構成した。【選択図】図１
2012210956.tif 000002
【特許請求の範囲】
【請求項１】
蓋の外周に設けられた鍔部を容器本体に対して持ち上げて該蓋を開ける蓋付き容器に使用し、該蓋の開閉を補助する蓋開閉補助具であり、
前記蓋に対して位置決めされて載設される載設部材と、
前記位置決めされた載設部材から前記容器本体の周辺まで垂下する第一の垂下部と、
前記第一の垂下部から前記容器本体に向かって延び、前記鍔部の下に係合される第一の係合部と、
を備えた蓋開閉補助具。
【請求項２】
前記蓋の外周の一部に前記鍔部が設けられ、前記第一の係合部は、該蓋の外周の中の該鍔部の設けられていない部分を、該蓋の周辺から前記容器本体の周辺まで通過させられた後に、該容器本体の中心軸まわりに回転させられることにより、該第一の係合部が該鍔部の下に係合される請求項１に記載する蓋開閉補助具。
【請求項３】
前記蓋及び容器本体が略円柱形状である請求項２に記載する蓋開閉補助具。
【請求項４】
前記蓋が前記容器本体に蝶番部により接続され、
前記蓋に対して位置決めされた載設部材から垂下する第二の垂下部と、
前記第二の垂下部から前記容器本体に向かって延び、前記蝶番部の下に係合される第二の係合部と、
を備えた請求項１〜請求項３のいずれかに記載する蓋開閉補助具。
【請求項５】
前記載設部材の底面に、前記蓋に外嵌される外嵌凹部が設けられた請求項１〜請求項４のいずれかに記載する蓋開閉補助具。
【発明の詳細な説明】
【技術分野】
【０００１】
本発明は、蓋の外周に設けられた鍔部を容器本体に対して持ち上げて蓋を開ける蓋付き容器に使用し、蓋の開閉を補助する蓋開閉補助具に関するものである。
【背景技術】
【０００２】
従来から、血糖値等を測定するバイオセンサを保管するために、蓋付き容器が使用されている。例えば、図７に示す蓋付き容器１は、蓋２の外周に設けられた鍔部３を容器本体４に対して持ち上げて蓋２を開ける蓋付き容器である。この蓋付き容器１は、蓋２が容器本体４に蝶番部５により接続され、蓋２を蝶番部５のまわりに回動させて容器本体４に対して持ち上げ、容器本体４の開口部７からバイオセンサ６を取り出すことができる。この蓋２は、指を下から鍔部３に押し当てることにより持ち上げる。
【０００３】
ここで、容器の蓋の開閉を補助する蓋開閉補助具が案出されている。例えば、特許文献１には、ペットボトルの蓋に外嵌して回転させることにより、小さな力で蓋を開けることのできるキャップ回転具について記載されている。特許文献２には、ペットボトル等のボトルの蓋に冠着状に外嵌して僅かな力で回転させることのできるボトルオープナーについて記載されている。特許文献３には、プラスチック製のボトルの蓋に内歯を係合させて載設部材４を回動させることにより、容易に開栓又は閉栓することのできるボトルオープナーについて記載されている。特許文献４には、容器の蓋を挟持材により握持して握り部を回動させることにより蓋を容易に開けることのできる蓋開閉補助具について記載されている。特許文献５には、容器の蓋を開閉材と挟持材とで握持して開閉材を回動させることにより、蓋の径の大小に関係なく蓋の開閉をスムーズ且つ容易に行える蓋開閉補助具について記載されている。
【０００４】
しかし、これらの蓋開閉補助具を、バイオセンサを保管する容器に、ただちに使用することは、バイオセンサを保管する容器特有の問題があるためにできない。すなわち、バイオセンサが血糖値センサである場合、その血糖値センサを使用する糖尿病患者の多くは合併症で神経系疾患を持っており、握力が弱くなっているため、蓋の開閉が特に困難である。また、神経系疾患を持っている高齢者であれば、蓋の開閉が更に困難である。また、蓋を閉めるのが困難であることにより、蓋を開けた状態で放置され、容器内の血糖値センサが湿気を吸収して異常値を計測することもある。なお、鍔部を長くして蓋を開けやすくする改善も行われているが、神経系疾患を持った糖尿病患者にとっては不十分である。
【先行技術文献】
【特許文献】
【０００５】
【特許文献１】実用新案登録第３０８６２６６号公報
【特許文献２】実用新案登録第３１０１３３４号公報
【特許文献３】特許第３６１９２２７号公報
【特許文献４】特開２００３−１３７３９３号公報
【特許文献５】特開２００３−２００９９５号公報
【発明の概要】
【発明が解決しようとする課題】
【０００６】
本発明の目的は、特にバイオセンサを使用する者が、蓋付き容器の蓋を、小さな力で容易に開閉できる蓋開閉補助具を提供することにある。
【課題を解決するための手段】
【０００７】
本発明の蓋開閉補助具は、蓋の外周に設けられた鍔部を容器本体に対して持ち上げて該蓋を開ける蓋付き容器に使用し、該蓋の開閉を補助する蓋開閉補助具であり、前記蓋に対して位置決めされて載設される載設部材と、前記位置決めされた載設部材から前記容器本体の周辺まで垂下する第一の垂下部と、前記第一の垂下部から前記容器本体に向かって延び、前記鍔部の下に係合される第一の係合部と、を備えたことを特徴とする。
【０００８】
本発明の蓋開閉補助具は、前記蓋開閉補助具において、前記蓋の外周の一部に前記鍔部が設けられ、前記第一の係合部は、該蓋の外周の中の該鍔部の設けられていない部分を、該蓋の周辺から前記容器本体の周辺まで通過させられた後に、該容器本体の中心軸まわりに回転させられることにより、該第一の係合部が該鍔部の下に係合されることを特徴とする。
【０００９】
本発明の蓋開閉補助具は、前記蓋開閉補助具において、前記蓋及び容器本体が略円柱形状であることを特徴とする。
【００１０】
本発明の蓋開閉補助具は、前記蓋開閉補助具において、前記蓋が前記容器本体に蝶番部により接続され、前記蓋に対して位置決めされた載設部材から垂下する第二の垂下部と、前記第二の垂下部から前記容器本体に向かって延び、前記蝶番部の下に係合される第二の係合部と、を備えたことを特徴とする。
【００１１】
本発明の蓋開閉補助具は、前記蓋開閉補助具において、前記載設部材の底面に、前記蓋に外嵌される外嵌凹部が設けられたことを特徴とする。
【発明の効果】
【００１２】
本発明の蓋開閉補助具によれば、第一の係合部を、蓋の周辺から容器本体の周辺まで下方向に通過させて回動させ、鍔部の下に係合させた状態で、蓋開閉補助具の第一の係合部側を持ち上げることにより、容易に蓋付き容器の蓋を開けることができる。逆に、蓋開閉補助具の第一の係合部側を持ち下げることにより、容易に蓋付き容器の蓋を閉めることができる。このため、合併症で神経系疾患を持っており、握力が弱くなっている者であっても、蓋を容易に開閉できる。また、蓋を容易に閉めることができるため、蓋を開けた状態で放置されることにより、蓋付き容器内のバイオセンサが湿気を吸収して異常値を計測することもない。
【図面の簡単な説明】
【００１３】
【図１】本発明の蓋開閉補助具を示す図であり、同図（ａ）は平面図であり、同図（ｂ）はＡ−Ａ線切断部断面図であり、同図（ｃ）は使用状態を示す正面図である。
【図２】図１の蓋開閉補助具の使用状態を示す図であり、同図（ａ）は平面図であり、同図（ｂ）は正面図である。
【図３】図１の蓋開閉補助具の使用状態を示す図であり、同図（ａ）は平面図であり、同図（ｂ）は正面図である。
【図４】図１の蓋開閉補助具の使用状態を示す図であり、同図（ａ）は蓋を開ける前の正面断面図であり、同図（ｂ）は蓋を開けた後の正面断面図である。
【図５】本発明の蓋開閉補助具の他の実施形態を示す正面図である。
【図６】本発明の蓋開閉補助具の更に他の実施形態を示す正面図である。
【図７】従来の蓋開閉補助具の使用状態を示す図であり、同図（ａ）は蓋を開ける前の正面断面図であり、同図（ｂ）は蓋を開けた後の正面断面図である。
【発明を実施するための形態】
【００１４】
本発明の蓋開閉補助具について図面に基づいて説明する。図１〜図４において、符号１０は、本発明の蓋開閉補助具である。
【００１５】
本発明の蓋開閉補助具１０は、蓋１２の外周に設けられた鍔部１４を容器本体１６に対して持ち上げて蓋１２を開ける蓋付き容器１８に使用し、蓋１２の開閉を補助する蓋開閉補助具である。蓋開閉補助具１０は、蓋１２に位置決めされて載設される載設部材２２と、位置決めされた載設部材２２から容器本体１６の周辺まで垂下する第一の垂下部２４と、第一の垂下部２４から容器本体１６の中心軸Ｃに向かって延び、鍔部１４の下に係合される第一の係合部２６と、を備えている。
【００１６】
蓋付き容器１８は、高気密性容器（ＣＳＰ，Chips Size Package）である。蓋付き容器１８の鍔部１４は、蓋１２の外周の中の略半分（一部）に設けられている。また、蓋１２及び容器本体１６は、略円柱形状であり、蓋１２が容器本体１６に蝶番部２８により接続されている。
【００１７】
載設部材２２は、片手又は指先で握持できる寸法であり、平面図において略楕円形である。この略楕円形の長軸端付近であり、第一の垂下部２４及び第一の係合部２６の上方には、凹部３０が設けられ、第一の垂下部２４及び第一の係合部２６の位置を認識しやすいとともに、凹部３０に指を掛けて容器本体１６の中心軸Ｃのまわりに容易に回転させることができるように構成されている。凹部３０を略楕円形の長軸端付近に設けることにより、凹部３０に指を掛けて回転させる時に、最大のモーメントを付加できる。載設部材２２の底面には、蓋１２に外嵌される嵌合凹部２３が設けられ、載設部材２２を蓋１２に容易に位置決めできるように構成されている。
【００１８】
第一の係合部２６は、蓋１２の外周の中の鍔部１４の設けられていない部分３２を、蓋１２の周辺から容器本体１６の周辺まで下方向に通過させられた後に、容器本体１６の中心軸Ｃのまわりに回転させられることにより、鍔部１４の下に係合されるように構成されている。
【００１９】
また、蓋開閉補助具１０は、蓋上面２０に沿って位置決めされた載設部材２２から垂下する第二の垂下部３４と、第二の垂下部３４から容器本体１６の中心軸Ｃに向かって延び、蝶番部２８の下に係合される第二の係合部３６と、を備えている。第二の垂下部３４及び第二の係合部３６は、第一の垂下部２４及び第一の係合部２６と共に、中心軸Ｃのまわりに回転させられる。
【００２０】
このような構成の本発明に係る蓋開閉補助具１０を用いて蓋付き容器１８の開閉を行う作用について以下に説明する。
【００２１】
血糖値等の検査のために、複数のバイオセンサ４０を保管している蓋付き容器１８からバイオセンサ４０を１個取り出す場合、使用者は、まず、蓋開閉補助具１０の載設部材２２を手で握持して、図１（ｃ）に示すように、蓋開閉補助具１０を蓋付き容器１８へ接近させる。次に、第一の係合部２６を、蓋１２の外周の中の鍔部１４の設けられていない部分３２を、蓋１２の周辺から容器本体１６の周辺まで下方向に通過させる。この時、嵌合凹部２３が蓋１２に外嵌され、図２に示すように蓋開閉補助具１０が蓋付き容器１８に対して位置決めされる。
【００２２】
次に、蓋開閉補助具１０を、蓋付き容器１８に対して平面図における反時計まわりに回転させる。この時、蓋１２に外嵌されている嵌合凹部２３が蓋１２に対して摺動するため、円滑且つ安定して回転させることができる。このように蓋開閉補助具１０を反時計まわりに回転させることにより、図３及び図４（ａ）に示すように、第一の係合部２６が鍔部１４の下に、第二の係合部３６が蝶番部２８の下に、夫々係合され、蓋開閉補助具１０が蓋１２に固定される。
【００２３】
蓋開閉補助具１０が蓋１２に固定されると、手で載設部材２２を握持しながら蓋開閉補助具１０の第一の係合部２６側を持ち上げることにより、第一の係合部２６が蓋開閉補助具１０を押し上げ、蓋開閉補助具１０及び蓋１２が蝶番部２８のまわりに回動して、図４（ｂ）に示すように、蓋付き容器１８の蓋１２が開けられる。この時、第一の係合部２４及び第二の係合部３６の両方が蓋１２に係合されているため、蓋開閉補助具１０が蓋１２から離脱するのを防止できる。蓋１２が開けられると、容器本体１６内のバイオセンサ４０が、開口部４２から取り出される。
【００２４】
バイオセンサ４０が取り出されると、手で載設部材２２を握持しながら蓋開閉補助具１０の第一の係合部２６側を持ち下げることにより、蓋開閉補助具１０及び蓋１２が蝶番部２８のまわりに回動して、蓋付き容器１８の蓋１２が閉められる。蓋付き容器１８の蓋１２が閉められると、蓋開閉補助具１０を、蓋付き容器１８に対して平面図における時計まわりに回転させる。このように蓋開閉補助具１０を時計まわりに回転させることにより、図３及び図４（ａ）に示すように、第一の係合部２６が鍔部１４の下から、第二の係合部３６が蝶番部２８の下から、夫々離脱する。次に、第一の係合部２６を、蓋１２の外周の中の鍔部１４の設けられていない部分３２を、容器本体１６の周辺から蓋１２の周辺まで上方向に通過させることにより、蓋開閉補助具１０が蓋付き容器１８から離脱する。なお、取り出されたバイオセンサ４０は、血糖値の測定等に使用される。
【００２５】
このような蓋開閉補助具１０によれば、手で載設部材２２を握持しながら、第一の係合部２６を、蓋１２の周辺から容器本体１６の周辺まで下方向に通過させて回転させ、鍔部１４の下に係合させた状態で、蓋開閉補助具１０の第一の係合部２６側を持ち上げることにより、容易に蓋付き容器１８の蓋１２を開けることができる。逆に、手で載設部材２２を握持しながら、蓋開閉補助具１０の第一の係合部２６側を持ち下げることにより、容易に蓋付き容器１８の蓋１２を閉めることができる。このため、合併症で神経系疾患を持っており、握力が弱くなっている者であっても、高気密性のＣＳＰである蓋１２を容易に開閉できる。また、蓋１２を容易に閉めることができるため、蓋１２を開けた状態で放置されることにより、蓋付き容器１８内のバイオセンサ４０が湿気を吸収して異常値を計測することもない。
【００２６】
以上、本発明の実施形態について説明したが、本願発明は上述のものに限定されない。例えば、図５に示す蓋開閉補助具１０であってもよい。この蓋開閉補助具１０は、載設部材２２の上方から横方向に延びるレバー５０を備えている。このレバー５０を握持して蓋開閉補助具１０を回転させる方向に力を付加できるため、回転させるモーメントを大きくして容易に第一の係合部２６を鍔部１４の下に係合させることができる。また、このレバー５０を握持して蓋開閉補助具１０の第一の係合部２６側を持ち上げる方向に力を付加できるため、持ち上げるモーメントを大きくして容易に蓋付き容器１８の蓋１２を開けることができる。
【００２７】
また、図６に示す蓋開閉補助具１０であってもよい。この蓋開閉補助具１０は、載設部材２２の上方に回転楕円体の握持部材５２を備えている。この握持部材５２を握持することによっても、蓋開閉補助具１０を回転させる方向、又は蓋開閉補助具１０の第一の係合部２６側を持ち上げる方向に付加するモーメントを大きくすることができる。なお、握持部材５２は、平面図において楕円形にして、中心軸Ｃのまわりに容易に回転させることができるように構成してもよい。
【００２８】
以上、本発明の実施形態について図面に基づいて説明したが、本願発明は図示したものに限定されない。例えば、本発明の蓋開閉補助具は、バイオセンサを入れる蓋付き容器に使用することには限定されず、試験紙、錠剤、又は菓子等を入れる蓋付き容器に使用してもよい。
【００２９】
その他、本発明は、その主旨を逸脱しない範囲で当業者の知識に基づき種々の改良、修正、変更を加えた態様で実施できるものである。
【産業上の利用可能性】
【００３０】
本発明の蓋開閉補助具によれば、蓋を容易に開閉でき、蓋を開けた状態で放置されることにより、蓋付き容器内のバイオセンサが湿気を吸収して異常値を計測することもない。このため、血糖値センサ等のバイオセンサを保管する蓋付き容器に広く利用できる。
【符号の説明】
【００３１】
１０：蓋開閉補助具
１２：蓋
１４：鍔部
１６：容器本体
１８：蓋付き容器
２２：載設部材
２３：嵌合凹部
２４：第一の垂下部
２６：第一の係合部
２８：蝶番部
３０：凹部
３２：蓋の外周の中の鍔部の設けられていない部分
３４：第二の垂下部
３６：第二の係合部
４０：バイオセンサ
【図１】
2012210956.tif 000003
【図２】
2012210956.tif 000004
【図３】
2012210956.tif 000005
【図４】
2012210956.tif 000006
【図５】
2012210956.tif 000007
【図６】
2012210956.tif 000008
【図７】
2012210956.tif 000009